(57)【要約】      （修正有）【課題】ゴルフボールを見下ろす状態でゴルフボールに対するプレーヤの目の左右方向の位置が一定となるようにアドレスすることができるパッティング練習具を提供する。【解決手段】長尺のベースプレート２の長さ方向一端側から立ち上がるポール３に、ベースプレートの幅方向他方へ突き出す支持ピン４が取り付けられ、支持ピンに吊り下げ紐５を介してゴルフボール６が吊り下げられ、ベースプレートの長さ方向一端部から他端部側へ至る帯状のボール転動路７を備える。ボール転動路は、帯状基板部とベースプレートの長さ方向他端側に向かうに従って上向きに傾斜する支持脚部とを有し、ゴルフボールは、支持ピンを中心に吊り下げ紐を介して揺動する状態で、ボール転動路上を転動する。【選択図】図１
0003220674.tif 000002
【実用新案登録請求の範囲】
【請求項１】
長尺のベースプレートと、前記ベースプレートに設けられ、その幅方向一方の縁部であって長さ方向一端側から立ち上がるポールと、前記ポールに取り付けられ、前記ベースプレートの幅方向他方へ突き出る支持ピンと、前記支持ピンに取り付けられる吊り下げ紐と、前記吊り下げ紐により吊り下げられるゴルフボールと、前記ベースプレートの長さ方向一端から他端側へ至る帯状のボール転動路とを備え、
前記ボール転動路は、帯状基板部と、前記帯状基板部の長さ方向他端側の下部に配置される支持脚部とを有し、前記支持脚部が前記ベースプレートの長さ方向他端側に向かうに従って上向きに傾斜する上縁部を有し、
前記ゴルフボールは、前記支持ピンを中心に前記吊り下げ紐を介して揺動する状態で、前記ボール転動路上を転動するパッティング練習具。
【請求項２】
前記ボール転動路が前記ベースプレートの長さ方向他端に設けられるマーキングを有する請求項１に記載のパッティング練習具。
【請求項３】
前記帯状基板部が可撓性を有し、前記ベースプレートがその上面で揺動可能に取り付けられるレバーを有し、前記レバーは、前記支持脚部に対して前記ベースプレートの幅方向一方に取り付けられる一端部と、前記ベースプレートと前記支持脚部の間に差し込み可能に揺動する他端部とを有する請求項１または２のいずれかに記載のパッティング練習具。
【請求項４】
前記ゴルフボールがその直径方向両方向に突出する回転軸を有し、前記吊り下げ紐がその下端部に連結されるボールホルダをさらに備え、前記ボールホルダが、前記ゴルフボールの回転軸を回転可能に支持する一対の軸受部を有する請求項１〜３のいずれかに記載のパッティング練習具。
【請求項５】
前記ポールが上下方向の複数箇所に前記支持ピンの取り付け孔を有する請求項１〜４のいずれかに記載のパッティング練習具。
【請求項６】
前記ベースプレートがその長さ方向一端にヒンジを介して回動可能に取り付けられる延長プレートを有し、前記延長プレートが前記ベースプレートの長さ方向一端側の延長方向へ延びる展開位置と、前記ベースプレートの下側に重ねられる折り畳み位置との間で開閉可能に回動する請求項１〜５のいずれかに記載のパッティング練習具。
【請求項７】
前記帯状基板部がその上面を覆う人工芝を有し、前記人工芝がその長さ方向一端側の領域の幅方向他方側に幅方向に延びる複数の目盛を有し、それぞれの目盛が、前記人工芝の長さ方向に間隔をおいて配置されている請求項１〜６のいずれかに記載のパッティング練習具。
【考案の詳細な説明】
【技術分野】
【０００１】
この考案は、自宅の室内などに置いてゴルフのパッティング練習を行う際に用いるパッティング練習具に関するものである。
【背景技術】
【０００２】
従来から、自宅の室内などでゴルフのパッティング練習を行う際に用いられる器具として、様々なパッティング練習具が提案されている。例えば、特許文献１には、二本の平行なガイド線を脚部で支えるパッティング練習具が記載されている。
【０００３】
このパッティング練習具は、ゴルフボールを見下ろす状態で二本のガイド線の隙間にゴルフボールの中点が見えるようにアドレスすることにより、ゴルフプレーヤに対するゴルフボールの前後方向の位置を一定とすることができる。
【先行技術文献】
【特許文献】
【０００４】
【特許文献１】特開２００１−５４６０６号公報
【考案の概要】
【考案が解決しようとする課題】
【０００５】
ところで、パッティングの際、ゴルフボールを見下ろす状態で、ゴルフボールに対するプレーヤの目（例えば、両目の間の中間位置あるいは利き目）の左右方向の位置が一定となるようにアドレスをすることが重要である。
【０００６】
しかしながら、特許文献１に記載されたパッティング練習具は、ゴルフボールに対するプレーヤの目の左右方向の位置を定める基準となるものを備えていない。このため、ゴルフボールに対するプレーヤの目の左右方向の位置が一定にならず、パッティングが安定しないという問題があった。
【０００７】
そこで、この考案の解決すべき課題は、ゴルフボールを見下ろす状態において、ゴルフボールに対するプレーヤの目の左右方向の位置が一定となるようにアドレスすることができるパッティング練習具を提供することである。
【課題を解決するための手段】
【０００８】
前記の課題を解決するために、この考案に係るパッティング練習具は、長尺のベースプレートと、前記ベースプレートに設けられ、その幅方向一方の縁部であって長さ方向一端側から立ち上がるポールと、前記ポールに取り付けられ、前記ベースプレートの幅方向他方へ突き出る支持ピンと、前記支持ピンに取り付けられる吊り下げ紐と、前記吊り下げ紐により吊り下げられるゴルフボールと、前記ベースプレートの長さ方向一端部から他端部側へ至る帯状のボール転動路とを備え、前記ボール転動路は、帯状基板部と、前記帯状基板部の長さ方向他端側の下部に配置される支持脚部とを有し、前記支持脚部が前記ベースプレートの長さ方向他端側に向かうに従って上向きに傾斜する上縁部を有し、前記ゴルフボールは、前記支持ピンを中心に前記吊り下げ紐を介して揺動する状態で、前記ボール転動路上を転動する構成を採用することができる。
【０００９】
この構成では、ベースプレートの幅方向他方へ突き出る支持ピンを備え、支持ピンの真下にゴルフボールが位置している。支持ピンを見下ろすようにアドレスすることで、支持ピンがゴルフボールに対するプレーヤの目の左右方向の位置を定める基準となる。
【００１０】
ところで、パッティングをする際、ゴルフボールの行方を一刻でも早く見たいとの心理から、パターヘッドがゴルフボールに当たるよりも前に、パッティングしようとする方向や、カップに向かう方向へ目線と共に頭部を動かす、いわゆるヘッドアップをすることがある。
【００１１】
このようなヘッドアップを防止するために、前記ボール転動路が前記ベースプレートの長さ方向他端部に設けられるマーキングを有する構成を採用することができる。
【００１２】
この構成のマーキングは、ボール転動路に対して、パッティングしようとする方向やカップに向かう方向に設けられている。頭部を動かさずにマーキングを直視して、アドレスし、目線だけはゴルフボールを直視するようにパッティングをする。目線のみをルックアップしてゴルフボールのマーキングへ転がる行方を見届けることで、パッティングの前に頭部が動くヘッドアップを防止することができる。
【００１３】
また、前記帯状基板部が可撓性を有し、前記ベースプレートがその上面で揺動可能に取り付けられるレバーを有し、前記レバーは、前記支持脚部に対して前記ベースプレートの幅方向一方に取り付けられる一端部と、前記ベースプレートと前記支持脚部の間に差し込み可能に揺動する他端部とを有する構成を採用することができる。
【００１４】
この構成のレバーの他端部を揺動させて、ベースプレートと支持脚部の間に差し込むと、支持脚部がレバーの高さ分だけ位置が高くなり、ボール転動路の傾きをより大きくすることができる。
【００１５】
また、レバーの他端部をベースプレートと支持脚部の間に差し込んでいる状態で、さらにレバーの他端部をベースプレートの長さ方向一端側へ向かって揺動させることができる。この場合、レバーの他端部の位置がベースプレートの長さ方向一端側へ向かうに従い、より支持脚部の位置を高くすることができる。
【００１６】
前記ゴルフボールがその直径方向両方向に突出する回転軸を有し、前記吊り下げ紐がその下端部に連結されるボールホルダをさらに備え、前記ボールホルダが、前記ゴルフボールの回転軸を回転可能に支持する一対の軸受部を有する構成を採用することができる。
【００１７】
この構成により、ゴルフボールは、その回転軸が水平かつベースプレートの幅方向と平行となる状態で、ボールホルダを介して吊り下げ紐に連結されて、ゴルフボールがボール転動路上を転動し易くなる。
【００１８】
前記ポールが上下方向の複数箇所に前記支持ピンの取り付け孔を有する構成を採用すると、使用者の体格に応じて、支持ピンのポールに対する上下位置を変更することができる。
【００１９】
前記ベースプレートがその長さ方向一端部にヒンジを介して回動可能に取り付けられる延長プレートを有し、前記延長プレートが前記ベースプレートの長さ方向一端側の延長方向へ延びる展開位置と、前記ベースプレートの下側に重ねられる折り畳み位置との間で開閉可能に回動する構成を採用することができる。
【００２０】
この構成により、延長プレートを展開位置となる状態とすることで、床面または地面に置かれるベースプレートが安定する。また延長プレートを折り畳み位置となる状態とすることで、長さ方向のサイズがコンパクトになる。
【００２１】
前記帯状基板部がその上面を覆う人工芝を有し、前記人工芝がその長さ方向一端側の領域の幅方向他方側に幅方向に延びる複数の目盛を有し、それぞれの目盛が、前記人工芝の長さ方向に間隔をおいて配置されている構成を採用することができる。
【００２２】
この構成により、パッティングをする際、人工芝の目盛により、テイクバックの大きさに応じてゴルフボールの人工芝上での転動距離を容易に把握することができる。また、パッティングにより、人工芝上でゴルフボールを転動させることで、グリーン上でのゴルフボールの転動距離を予想することが可能となる。
【考案の効果】
【００２３】
以上のように、この考案では、支持ピンを見下ろすようにアドレスすることで、支持ピンを基準として、ゴルフボールに対するプレーヤの目の左右方向の位置が一定となり、パッティングが安定する。
【図面の簡単な説明】
【００２４】
【図１】この考案の実施形態に係るパッティング練習具の斜視図
【図２】同上のパッティング練習具の正面図
【図３】同上のパッティング練習具のゴルフボールの一部切り欠き側面図
【図４】同上のパッティング練習具の長さ方向他端側の斜視図
【図５】同上のパッティング練習具のレバーの操作を示す説明図
【図６】（ａ）同上のパッティング練習具のレバーの未使用状態を示す正面図、（ｂ）同上のパッティング練習具のレバーの使用状態を示す正面図
【図７】同上のパッティング練習具の一部切り欠き平面図
【考案を実施するための形態】
【００２５】
以下、この考案の実施形態に係るパッティング練習具を添付図面に基づいて説明する。この実施形態に係るパッティング練習具１は、長尺のベースプレート２と、ベースプレート２に設けられるポール３と、ポール３に取り付けられる支持ピン４と、支持ピン４に取り付けられる吊り下げ紐５と、吊り下げ紐５により吊り下げられるゴルフボール６と、ベースプレート２上に配置される帯状のボール転動路７とを備えている。
【００２６】
ここで、特に言及しない限りは、「長さ方向」とは、ベースプレート２の長さ方向を意味し、「幅方向」とは、ベースプレート２の幅方向を意味する。
【００２７】
ベースプレート２は、矩形をなす長尺の平板から形成されている。ベースプレート２の上面において、幅方向の一方の縁部であって長さ方向の一端側から立ち上がるポール３が設けられている。
【００２８】
図２に示すように、ベースプレート２は、長さ方向一端にヒンジ２ａを介して、延長プレート１１が回動可能に取り付けられたものである。延長プレート１１は、ベースプレート２の２／３程度の長さを有する矩形に平板から形成され、ベースプレート２と同じ厚み寸法および幅寸法を有している。
【００２９】
延長プレート１１は、長さ方向に等間隔に設けられる複数の目盛１１ａを有する。延長プレート１１は、ヒンジ２ａにより、ベースプレート２の長さ方向一端側からその延長方向へ延びる展開位置とベースプレート２の下面へ重ねられる折り畳み位置との間で開閉可能に回動する。
【００３０】
なお、延長プレート１１は、ベースプレート２の下面への折り畳み位置にある状態で、パッティング練習具１を床面や地面に安定して置くことができる長さを有している。
【００３１】
ポール３は、断面円形の木製の棒体であり、上下に二分割される上分割ポール部３ａおよび下分割ポール部３ｂと、上分割ポール部３ａと下分割ポール部３ｂとを連結する連結筒部３ｃとを有する。
【００３２】
上分割ポール部３ａは、直径方向に貫通する複数の取り付け孔３ｄを有する。それぞれの取り付け孔３ｄは、上下方向に並んで配置され、同一方向に沿って形成されている。下分割ポール部３ｂの下端部にはポール支持片１３が固定されている。
【００３３】
連結筒部３ｃは、上下二組の蝶ナットおよびボルトを有し、上分割ポール部３ａの下端部および下分割ポール部３ｂの上端部の外周部を覆う状態に配置されている。連結筒部３ｃは、上下二組の蝶ナットとボルトの締結により、上分割ポール部３ａおよび下分割ポール部３ｂを連結している。
【００３４】
ポール支持片１３は、帯状の基板部１３ａと、基板部１３ａの長さ方向中間部から直角に延びる支持板部１３ｂとからなるＴ字状の金属板部材である（図７参照）。ポール支持片１３は、基板部１３ａの両側部と中間部、および支持板部１３ｂの先端部に設けられる貫通孔を有する。基板部１３ａの中間部の貫通孔におねじ（図示省略）が上向きに挿通され、そのおねじが下分割ポール部３ｂの下端面にねじ込まれている。
【００３５】
図１に示すように、ポール支持片１３は、ベースプレート２の幅方向一方の縁部であって長さ方向一端側に配置されている。基板部１３ａがベースプレート２の長さ方向に沿う状態であって、かつ、支持板部１３ｂがベースプレート２上に位置する状態となっている。
【００３６】
ベースプレート２を貫通するボルトが、基板部１３ａの両側部の貫通孔に挿通され、そのボルトにナットが基板部１３ａ上でねじ結合されている。同様に、ベースプレート２を下方から貫通するボルトが、支持板部１３ｂの先端部の貫通孔に挿通され、そのボルトにナットが支持板部１３ｂ上でねじ結合されている。
【００３７】
なお、ポール３は、図１に示すように、上下二本に分割され、連結筒部により一体化するものである。これに限らず、例えば、一本で形成してもよく、三本、四本と連結するようにしても良い。
【００３８】
支持ピン４は、頭部を有する長ねじであり、一つの取り付け孔３ｄに差し込まれる状態でポール３を挟む一対のナットにより、ポール３に着脱可能に取り付けられている。支持ピン４の頭部寄りの位置に位置決めナット４ａがねじ結合している。
【００３９】
支持ピン４は、その頭部と位置決めナット４ａとの間の位置に吊り下げ紐５が取り付けられている。吊り下げ紐５は、金属製のリングチェーンであり、上部に連結されているＳ字状のフック５ａと、下端部に連結されているボールホルダ１４とを有する。
【００４０】
吊り下げ紐５は、フック５ａの連結位置を変更することにより、支持ピン４とボールホルダ１４との間の距離の調整をすることができる。
【００４１】
図３に示すように、ボールホルダ１４は、ゴルフボール６の表面に沿う半円弧状の線材から形成されている。ボールホルダ１４は、長さ方向中間部に上方に湾曲する係止部１４ａと、両端部に形成される環状の軸受部１４ｂを有する。それぞれの軸受部１４ｂは、上下方向に延びる長孔状に形成されている。
【００４２】
ゴルフボール６は、その表面から直径方向外向きに突出する一対の軸部６ａを有している。それぞれの軸部６ａは、ゴルフボール６の表面から直径方向内向きにねじ込まれるおねじであり、直径方向両側に配置される回転軸を構成している。ゴルフボール６は、それぞれの軸部６ａと一体に回転する。
【００４３】
なお、ゴルフボール６は、ゴルフボール６の直径方向に一本の軸状体を貫通して、ゴルフボール６の表面から直径方向外向きに突出する前記軸状体の両端部分で回転軸を構成してもよい。
【００４４】
ゴルフボール６の一対の軸部６ａは、ボールホルダ１４の軸受部１４ｂに水平状態で回転可能に支持されている。ゴルフボール６は、支持ピン４を中心に吊り下げ紐５を介して揺動する状態で、ボール転動路７上を転動する（図２の二点鎖線参照）。
【００４５】
図２に示すように、ボール転動路７は、ベースプレート２の長さ方向一端から他端寄りの位置に至る帯状基板部７ａと、帯状基板部７ａの下部に一体に固定される支持脚部７ｂとを有する。
【００４６】
帯状基板部７ａは、可撓性を有する平板状の合成樹脂から形成されており、上面全面を覆う状態に貼り合わされる人工芝８を有する。帯状基板部７ａは、ベースプレート２の幅寸法に対して、ポール支持片１３の基板部１３ａの幅寸法分だけ狭い幅寸法を有している。
【００４７】
帯状基板部７ａの長さ方向一端から長さ方向中間部分までの領域（以下、固定領域という）は、ベースプレート２に接触する状態で固定されている。帯状基板部７ａの長さ方向中央部分から長さ方向他端までの領域（以下、変位可能領域という）は、ベースプレート２に対して上下方向に弾性をもって変位可能な状態となっている。
【００４８】
支持脚部７ｂは、略三角形の板部材から形成され、帯状基板部７ａの下面に沿いかつ長さ方向他端側へ向かうに従って上向きに傾斜する上縁部と、ベースプレート２に平行な直線状に形成される下縁部とを有する。支持脚部７ｂは、帯状基板部７ａの変位可能領域に位置し、帯状基板部７ａの下面の幅方向中央部分から下向きへ直角に配置されている。
【００４９】
支持脚部７ｂは、長さ方向他端を臨む端部に固定される化粧板部７ｃを有する。図４に示すにように、化粧板部７ｃは、帯状基板部７ａの長さ方向他端の下部に沿う上部と、長さ方向他端を臨む支持脚部７ｂの端部を覆う下部とを有するＴ字状に形成されている。
【００５０】
人工芝８は、幅方向他方側に幅方向に延びる複数の目盛８ａが長さ方向に等間隔に設けられている。それぞれの目盛８ａは、人工芝８のポール３に対応する幅方向他方部分を除いて、人工芝８の長さ方向両側に複数箇所に設けられている。人工芝８は、上面の長さ方向他端の幅方向中央にマーキング８ｂが設けられている。なお、帯状基板部７ａは人工芝８を有していなくてもよく、この場合、帯状基板部７ａの長さ方向他端にマーキング８ｂが設けられる。
【００５１】
図５に示すように、ベースプレート２は、その上面で揺動可能に取り付けられるレバー１２を有する。レバー１２は、断面矩形の棒状部材から形成されている。レバー１２は、支持脚部７ｂに対してベースプレート２の幅方向一方側に取り付けられる一端部１２ａと、ベースプレート２と支持脚部７ｂとの間に差し込み可能に揺動する他端部１２ｂとを有する。
【００５２】
レバー１２は、その一端部１２ａとベースプレート２を上方から貫通されるボルト１２ｃとナット（図示省略）とのねじ締結により、ベースプレート２に取り付けられる。レバー１２は、ベースプレート２上に設けられている滑り止め２ｂにより、支持脚部７ｂと平行となる状態で保持される（図５中の二点鎖線参照）。
【００５３】
以上のように、この考案に係るパッティング練習具１は構成され、その使用方法を図面に従って説明する。まず、ベースプレート２の長さ方向一端が使用者の右側、他端が使用者の左側となるように、パッティング練習具１を床面または地面等にセットする。
【００５４】
続いて、使用者は、ポール３に正対しベースプレート２を挟んでスタンスする。続いて、ゴルフボール６を見下す状態で、使用者の目（図７では、利き目である右目Ｒ）で支持ピン４を見て、支持ピン４がゴルフボール６の中心と重なるようにアドレスを調整する。このとき、使用者の目である右目Ｒの真下にゴルフボール６が位置する状態となる。
【００５５】
アドレス調整後、ゴルフボール６をパッティングする。パッティング後のゴルフボール６は、支持ピン４を中心に吊り下げ紐５を介してボール転動路７の長さ方向他端側へ揺動する。
【００５６】
ボール転動路７は、支持脚部７ｂにより長さ方向他端側に向かって上向きに傾斜している。このため、ゴルフボール６は、ボール転動路７上に沿って転動し、その後、自重により、ボール転動路７の長さ方向一端側へ揺動する。そして、使用者はゴルフボール６の揺動をパターヘッドや手で停止させ、再度、パッティングを行う。このようにしてパッティング練習具１を用いて、反復してパッティング練習を行うことができる。
【００５７】
ここで、上述のアドレスの調整では、支持ピン４がゴルフボール６に対する使用者の目（例えば、両目の間の中間位置あるいは利き目）の左右方向の位置を定める基準となる。支持ピン４が基準となることで、ゴルフボール６に対する使用者の目の左右方向の位置が一定となり、パッティングが安定する。
【００５８】
また、パッティング練習具１では、ボール転動路７に対して、長さ方向他端にマーキング８ｂが設けられている。マーキング８ｂは、ボール転動路７において、パッティングしようとする方向となる長さ方向他端に位置している。
【００５９】
そして、使用者は、頭部を動かさずに右目Ｒの真下にゴルフボール６が位置する状態を維持しつつ、この状態でマーキング８ｂを直視してアドレスする。このとき、使用者は、予めパッティングしようとする方向へ目線Ｓ（図２の一点鎖線参照）を向けている状態となる。
【００６０】
このアドレスで、頭部を動かさず目線Ｓだけはゴルフボール６を直視してパッティングする。パッティング後、目線Ｓのみをルックアップしてゴルフボール６のマーキング８ｂへ転がる行方を見届ける。このように、パッティングしようとする方向へ目線Ｓと共に頭部を動かさなくてよく、いわゆるインパクトの前に頭部が動くヘッドアップを防止することができる。
【００６１】
また、ポール３に支持ピン４を取り付ける取り付け孔３ｄが上下方向に複数形成されているので、使用者の身長、体格に応じて一つの取り付け孔３ｄに支持ピン４を取り付けて、支持ピン４の上下方向の位置を変更することができる。
【００６２】
さらに、パッティング練習具１は、ベースプレート２はその上面に揺動可能に取り付けられるレバー１２を有している。図５の二点鎖線に示すように、レバー１２を支持脚部７ｂの長さ方向に平行に配置している状態では、ボール転動路７の支持脚部７ｂは、ベースプレート２の上面に接している。このとき、図６（ａ）に示すように、レバー１２は、ベースプレート２上に設けられている滑り止め２ｂにより、支持脚部７ｂに平行となる状態で保持される。
【００６３】
また、支持脚部７ｂを持ち上げた状態で、レバー１２の他端部１２ｂをベースプレート２と支持脚部７ｂとの間に差し込むようにレバー１２を回動操作する（図５中の実線参照）。このとき、図６（ｂ）に示すように、レバー１２により、支持脚部７ｂの位置が高くなり、ボール転動路７の変位可能領域を上方に変位させた状態で保持される。
【００６４】
さらに、レバー１２をさらにベースプレート２の長さ方向一端側へ回動させる（図５中の一点鎖線参照）と、ボール転動路７の変位可能領域をさらに高い位置に変位させることができる。このようにして、ボール転動路７の傾きを調整することができる。なお、ボール転動路７の傾きを調整する必要がない場合等、ベースプレート２はレバー１２を有していなくてもよい。
【００６５】
また、パッティングをする際、延長プレート１１の目盛１１ａを目印として、パターのテイクバックの大きさとゴルフボール６の転動距離との関係を把握することができる。同様にして、人工芝８の目盛８ａを目印として、パターのフォロースルーの大きさとゴルフボール６の転動距離との関係を把握することができる。なお、人工芝８は目盛８ａを有していなくてもよい。
【符号の説明】
【００６６】
１  パッティング練習具
２  ベースプレート
２ａ  ヒンジ
２ｂ  滑り止め
３  ポール
３ａ  上分割ポール部
３ｂ  下分割ポール部
３ｃ  連結筒部
３ｄ  取り付け孔
４  支持ピン
４ａ  位置決めナット
５  吊り下げ紐
５ａ  フック
６  ゴルフボール
６ａ  軸部
７  ボール転動路
７ａ  帯状基板部
７ｂ  支持脚部
７ｃ  化粧板部
８  人工芝
８ａ  目盛
８ｂ  マーキング
１１  延長プレート
１１ａ  目盛
１２  レバー
１２ａ  一端部
１２ｂ  他端部
１２ｃ  ボルト
１３  ポール支持片
１３ａ  基板部
１３ｂ  支持板部
１４  ボールホルダ
１４ａ  係止部
１４ｂ  軸受部
Ｒ  右目
Ｌ  左目
【図１】
0003220674.tif 000003
【図２】
0003220674.tif 000004
【図３】
0003220674.tif 000005
【図４】
0003220674.tif 000006
【図５】
0003220674.tif 000007
【図６】
0003220674.tif 000008
【図７】
0003220674.tif 000009